(57)【要約】【課題】実体番号と公表番号を管理する電話中継装置であって、電話中継装置と交換機の間でやり取りする呼の回数を少なくする。【解決手段】電話中継装置２００は、第１電話端末１００から第２電話端末への接続要求を受信する。接続要求には、第１電話端末、及び第２電話端末それぞれの電話番号が含まれている。電話中継装置２００は、各電話端末に直接接続するときに用いられる電話番号である実体番号と、電話端末の電話番号として第三者に公表された番号である公表番号とを互いに対応付けて記憶している。電話中継装置２００は、接続要求を受信すると、第１電話端末１００に対する第１発呼、及び第２電話端末３００に対する第２発呼を行う。電話中継装置２００は、接続要求に含まれる第２電話端末３００の電話番号が公表番号であるときに、第２電話端末３００の実体番号を読み出してから、第２電話端末３００に対して第２発呼を行う。【選択図】図１
2010272990.tif 000002
【特許請求の範囲】
【請求項１】
交換機を有する通信網に用いられる電話中継装置であって、
前記通信網に接続されている複数の電話端末別に、前記電話端末に直接接続するときに用いられる電話番号である実体番号と、前記電話端末の電話番号として第三者に公表された番号である公表番号とを互いに対応付けて記憶する電話番号記憶手段と、
前記通信網に接続されている第１電話端末の電話番号、及び第２電話端末の前記公表番号を含み、前記第１電話端末から前記第２電話端末への接続要求を受信する接続要求受信手段と、
前記第１電話端末に第１発呼を行う第１接続処理手段と、
前記接続要求に含まれる前記第２電話端末の前記公表番号に基づいて、前記電話番号記憶手段から前記第２電話端末の前記実体番号を読み出し、前記第２電話端末に前記第２電話端末の前記実体番号を着番とした第２発呼を行う第２接続処理手段と、
を備える電話中継装置。
【請求項２】
請求項１に記載の電話中継装置において、
前記第２接続処理手段は、前記接続要求に含まれる前記第２電話端末の電話番号が前記電話番号記憶手段に記憶されていないときに、前記第１電話端末の前記公表番号を発番としていて前記第２電話端末の電話番号を着番としている第３発呼を前記交換機に行う電話中継装置。
【請求項３】
請求項１または２に記載の電話中継装置において、
前記接続要求受信手段は、前記第１電話端末の使用者が操作するコンピュータ端末から、データ通信により前記接続要求を受信する電話中継装置。
【請求項４】
請求項１〜３のいずれか一つに記載の電話中継装置において、
前記通信網は内線通信網であり、
前記実体番号は外線番号又は内線番号である電話中継装置。
【請求項５】
交換機を有する通信網に電話中継装置を設け、
前記電話中継装置に、前記通信網に接続されている複数の電話端末別に、前記電話端末に直接接続するときに用いられる電話番号である実体番号と、前記電話端末の電話番号として第三者に公表された番号である公表番号とを互いに対応付けて記憶する電話番号記憶手段を設け、
前記電話中継装置が、
前記通信網に接続されている第１電話端末の電話番号、及び第２電話端末の前記公表番号を含み、前記第１電話端末から前記第２電話端末への接続要求を受信し、
前記第１電話端末に発呼を行い、
前記接続要求に含まれる前記第２電話端末の前記公表番号に基づいて、前記電話番号記憶手段から前記第２電話端末の前記実体番号を読み出し、前記第２電話端末に、前記第２電話端末の前記実体番号を着番とした第２発呼を行う電話中継方法。
【請求項６】
コンピュータを電話中継装置として機能させるためのプログラムであって、
前記電話中継装置は、交換機を有する通信網に設けられ、
前記コンピュータに、
前記通信網に接続されている複数の電話端末別に、前記電話端末に直接接続するときに用いられる電話番号である実体番号と、前記電話端末の電話番号として第三者に公表された番号である公表番号とを互いに対応付けて記憶する電話番号記憶手段に接続する機能と、
前記通信網に接続されている第１電話端末の電話番号、及び第２電話端末の前記公表番号を含み、前記第１電話端末から前記第２電話端末への接続要求を受信する機能と、
前記第１電話端末に第１発呼を行う機能と、
前記接続要求に含まれる前記第２電話端末の前記公表番号に基づいて、前記電話番号記憶手段から前記第２電話端末の前記実体番号を読み出し、前記第２電話端末に、前記第２電話端末の前記実体番号を着番とした第２発呼を行う機能と、
を実現させるプログラム。
【発明の詳細な説明】
【技術分野】
【０００１】
本発明は、発信要求に従って発信元端末及び発信先端末それぞれに発呼することにより、発信元端末と発信先端末の間の電話を中継する電話中継装置、電話中継方法、及びプログラムに関する。
【背景技術】
【０００２】
近年、電話の発信者が、コンピュータ端末などを介して電話の発信要求を行うことがある。この場合、コンピュータ端末などは、電話中継装置に、発信元の電話端末（すなわち発信者が使用する電話端末）の電話番号を特定する情報及び発信先の電話端末の電話番号を特定する情報を送信する。すると電話中継装置は、発信元の電話端末に発呼すると共に、発信先の電話端末に発呼する。そして発信元の電話端末と発信先の電話端末は、電話中継装置を介して通話処理を行う。
【０００３】
例えばＲＦＣ（Request For Comment）３７２５には、第三者通話制御の方式が記述されている。この方式によれば、携帯端末がデータ通信網経由で電話中継装置に通話先を指示すると、電話中継装置が通話先及び指示を出した携帯端末に発信を行う。
【０００４】
また特許文献１には、発信元となる電話装置の識別情報と発信先の電話番号とを電話中継装置が予め記憶しておくことが記載されている。この電話中継装置は、電話装置から電話発信を受けると、この電話接続を確立し、次に、この電話端末の識別情報に対応する電話番号を読み出して、この電話番号に電話発信することにより、電話の中継処理を行う。
【先行技術文献】
【特許文献】
【０００５】
【特許文献１】国際公開第２００６／００３７５８号公報
【発明の概要】
【発明が解決しようとする課題】
【０００６】
内線電話における通話では、内線番号によって発信元の電話端末や発信先の電話端末がどの事業拠点に属しているかを認識することは重要である。一方、既存の内線通信網に、既存の携帯通信網を接続して、携帯電話を内線電話として使用できるようにする場合、上記したように、携帯通信網は、一つの独立した内線通信網として扱われる。このため、携帯電話から内線電話に発信した場合、発信先の電話端末に表示される内線番号は、携帯電話からの発信であることを示す番号となる。このため、たとえその携帯端末の使用者が発信先の電話端末の使用者と同じ事業拠点に属する人であっても、発信先の電話端末の使用者は、電話端末に表示される発番からは、発信者が同じ事業拠点に属する人であることを認識できない。
【０００７】
このように、異なる拠点に属している電話端末から電話がかかってきた場合であっても、同じ拠点に属している電話端末から電話がかかってきたように見せる必要がある場合がある。
【０００８】
このような問題点を解決する方法として、本発明者は、電話端末に直接接続するときに用いられる電話番号である実体番号と、電話端末の電話番号として第三者に公表された番号である公表番号とを互いに対応付けて電話中継装置に記憶させ、電話中継装置において公表番号を実体番号に変換することを考えた。このようにすると、電話端末の使用者は公表番号を意識することにより、実体番号を意識せずにすむ。しかし上記した電話中継装置にこのような機能を追加すると、電話中継装置と交換機の間でやり取りする呼の回数が増える可能性があった。
【０００９】
本発明は上記事情に鑑みてなされたものであり、その目的とするところは、実体番号と公表番号を管理する電話中継装置であって、電話中継装置と交換機の間でやり取りする呼の回数を少なくすることができる電話中継装置、電話中継方法、及びプログラムを提供することにある。
【課題を解決するための手段】
【００１０】
本発明によれば、交換機を有する通信網に用いられる電話中継装置であって、
前記通信網に接続されている複数の電話端末別に、前記電話端末に直接接続するときに用いられる電話番号である実体番号と、前記電話端末の電話番号として第三者に公表された番号である公表番号とを互いに対応付けて記憶する電話番号記憶手段と、
前記通信網に接続されている第１電話端末の電話番号、及び第２電話端末の前記公表番号を含み、前記第１電話端末から前記第２電話端末への接続要求を受信する接続要求受信手段と、
前記第１電話端末に第１発呼を行う第１接続処理手段と、
前記接続要求に含まれる前記第２電話端末の前記公表番号に基づいて、前記電話番号記憶手段から前記第２電話端末の前記実体番号を読み出し、前記第２電話端末に前記第２電話端末の前記実体番号を着番とした第２発呼を行う第２接続処理手段と、
を備える電話中継装置が提供される。
【００１１】
本発明によれば、交換機を有する通信網に電話中継装置を設け、
前記電話中継装置に、前記通信網に接続されている複数の電話端末別に、前記電話端末に直接接続するときに用いられる電話番号である実体番号と、前記電話端末の電話番号として第三者に公表された番号である公表番号とを互いに対応付けて記憶する電話番号記憶手段を設け、
前記電話中継装置が、
前記通信網に接続されている第１電話端末の電話番号、及び第２電話端末の前記公表番号を含み、前記第１電話端末から前記第２電話端末への接続要求を受信し、
前記第１電話端末に発呼を行い、
前記接続要求に含まれる前記第２電話端末の前記公表番号に基づいて、前記電話番号記憶手段から前記第２電話端末の前記実体番号を読み出し、前記第２電話端末に、前記第２電話端末の前記実体番号を着番とした第２発呼を行う電話中継方法が提供される。
【００１２】
本発明によれば、コンピュータを電話中継装置として機能させるためのプログラムであって、
前記電話中継装置は、交換機を有する通信網に設けられ、
前記コンピュータに、
前記通信網に接続されている複数の電話端末別に、前記電話端末に直接接続するときに用いられる電話番号である実体番号と、前記電話端末の電話番号として第三者に公表された番号である公表番号とを互いに対応付けて記憶する電話番号記憶手段に接続する機能と、
前記通信網に接続されている第１電話端末の電話番号、及び第２電話端末の前記公表番号を含み、前記第１電話端末から前記第２電話端末への接続要求を受信する機能と、
前記第１電話端末に第１発呼を行う機能と、
前記接続要求に含まれる前記第２電話端末の前記公表番号に基づいて、前記電話番号記憶手段から前記第２電話端末の前記実体番号を読み出し、前記第２電話端末に、前記第２電話端末の前記実体番号を着番とした第２発呼を行う機能と、
を実現させるプログラムが提供される。
【発明の効果】
【００１３】
本発明によれば、実体番号と公表番号を管理する電話中継装置において、電話中継装置と交換機の間でやり取りする呼の回数を少なくすることができる。
【図面の簡単な説明】
【００１４】
【図１】第１の実施形態に係る電話中継装置の使用環境を示す図である。
【図２】電話中継装置の機能構成を示すブロック図である。
【図３】（ａ），（ｂ）は、電話番号記憶部が記憶しているデータをテーブル形式で示す図である。
【図４】図１に示した環境における電話中継装置の動作を示すフローチャートである。
【図５】図４のステップＳ４０の詳細を示すフローチャートである。
【図６】第２の実施形態に係る電話中継装置の処理を示すフローチャートである。
【図７】第３の実施形態に係る電話中継装置の電話番号記憶部のデータ構成をテーブル形式で示す図である。
【図８】ステップＳ３０の詳細を示すフローチャートである。
【図９】第４の実施形態に係る電話中継装置の使用環境を示す図である。
【図１０】第５の実施形態に係る電話中継装置の使用環境を示す図である。
【図１１】電話番号記憶部のデータ構成をテーブル形式で示す図である。
【図１２】比較例としての電話中継装置の動作を示すフローチャートである。
【発明を実施するための形態】
【００１５】
以下、本発明の実施の形態について、図面を用いて説明する。尚、すべての図面において、同様な構成要素には同様の符号を付し、適宜説明を省略する。
【００１６】
図１は、第１の実施形態に係る電話中継装置２００の使用環境を示す図である。この電話中継装置２００は、第１電話端末１００と第２電話端末３００の中継処理を行う装置である。電話中継装置２００は、構内交換機５０を有する通信網１０の中で用いられる。電話中継装置２００は、通信網１０に接続されている複数の電話端末それぞれの電話番号を記憶している。
【００１７】
電話端末は、通信網１０の中に位置していても良いし、ゲートウェイ装置１０１を介して接続していても良い。本図に示す例では、第１電話端末１００がゲートウェイ装置１０１を介して通信網１０に接続しており、第２電話端末３００が通信網１０の中に位置している。ただし、第２電話端末３００もゲートウェイ装置１０１を介して通信網に接続していても良いし、第１電話端末１００及び第２電話端末３００が通信網１０の中に位置していても良い。各電話端末は、ＩＰ電話であっても良いし、通常の電話であっても良い。
【００１８】
電話中継装置２００は、各電話端末に直接接続するときに用いられる電話番号である実体番号と、電話端末の電話番号として第三者に公表された番号である公表番号とを互いに対応付けて記憶している。そして電話中継装置２００は、第１電話端末１００から第２電話端末への接続要求を受信する。本実施形態において接続要求は、要求送信装置１１０（例えばコンピュータ端末）から、電話通信網とは異なるデータ通信網を介して送信される。要求送信装置１１０は、第１電話端末１００の使用者により操作される。なお、電話通信網とデータ通信網は物理的に異なる通信網である必要はなく、論理的に異なる通信網であっても良い。
【００１９】
接続要求には、第１電話端末の電話番号、及び第２電話端末それぞれの電話番号が含まれている。そして接続要求に含まれる第２電話端末の電話番号は、上記した公表番号であるときがある。電話中継装置２００は、接続要求を受信すると、第１電話端末１００に対する第１発呼、及び第２電話端末３００に対する第２発呼を行う。電話中継装置２００は、接続要求に含まれている第２電話端末３００の電話番号が公表番号であるときに、この公表番号に基づいて第２電話端末３００の実体番号を読み出す。そして第２発呼において第２電話端末３００の実体番号を着番とする。
【００２０】
図２は、電話中継装置２００の機能構成を示すブロック図である。電話中継装置２００は、電話番号記憶部２１０、接続要求受信部２２０、第１接続処理部２３０、及び第２接続処理部２４０を有する。電話番号記憶部２１０は、複数の電話端末別に電話番号を記憶している。接続要求受信部２２０は、第１電話端末１００から第２電話端末３００への接続要求を、例えば要求送信装置１１０から受信する。第１接続処理部２３０は、第１電話端末１００に第１発呼を行う。第２接続処理部２４０は、第２電話端末３００に上記した第２発呼を行う。そして第１接続処理部２３０及び第２接続処理部２４０が音声情報の送受信を行うことにより、第１電話端末１００と第２電話端末３００の間で通話が行われる。
【００２１】
また電話番号記憶部２１０は、電話端末別に、実体番号と公表番号とを互いに対応付けて記憶している。実体番号は、その電話端末に直接接続するときに用いられる電話番号であり、公表番号は、その電話端末の電話番号として第三者に公表された番号である。
【００２２】
接続要求における第１電話端末１００の電話番号が実体番号である場合、第２接続処理部２４０は、電話番号記憶部２１０から、第１電話端末１００の実体番号に対応する公表番号を読み出し、この公表番号を発番として第２発呼を行う。また第１接続処理部２３０は、接続要求に含まれる実体番号を着番として第１発呼を行う。
【００２３】
また接続要求における第１電話端末１００の電話番号が公表番号である場合、第１接続処理部２３０は、電話番号記憶部２１０から、第１電話端末１００の公表番号に対応する実体番号を読み出し、この実体番号を着番として第１発呼を行う。また第２接続処理部２４０は、接続要求に含まれる公表番号を発番として第２発呼を行う。
【００２４】
また接続要求における第２電話端末３００の電話番号が実体番号である場合、第２接続処理部２４０は、接続要求に含まれる実体番号を着番として第２発呼を行う。また第１接続処理部２３０は、電話番号記憶部２１０から、第２電話端末３００の実体番号に対応する公表番号を読み出す。そして第１接続処理部２３０は、第１発呼においてこの公表番号を通知することにより、第２電話端末３００の公表番号を、第１電話端末１００から第２電話端末３００への発呼における着番として第１電話端末１００に表示させる。
【００２５】
また接続要求に含まれる第２電話端末３００の電話番号が公表番号である場合、第１接続処理部は、第１発呼においてこの公表番号を通知することにより、第２電話端末３００の公表番号を、第１電話端末１００から第２電話端末３００への発呼における着番として第１電話端末１００に表示させる。また第２接続処理部２４０は、第２電話端末３００の公表番号に対応する実体番号を読み出し、この実体番号を着番として第２発呼を行う。
【００２６】
なお、図２において、本発明の本質に関わらない部分の構成については省略している。図２に示した電話中継装置２００の各構成要素は、ハードウエア単位の構成ではなく、機能単位のブロックを示している。電話中継装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００２７】
図３（ａ），（ｂ）は、電話番号記憶部２１０が記憶しているデータをテーブル形式で示す図である。電話番号記憶部２１０は、図３（ａ），（ｂ）に示したデータの双方を記憶している。上記したように、電話番号記憶部２１０は、公表番号と、実体番号とを互いに対応付けて記憶している。図３に示す例において、公表番号は、いずれも３０００番台であり、同一の通信網１０の中に電話端末があることを示している。また実体番号は、地区番号と発信番号をこの順に並べたものである。地区番号は、電話端末の使用者の所属を示す数列である。
【００２８】
図３（ｂ）は、電話番号記憶部２１０が記憶している発信番号対応情報をテーブル形式で示す図である。この例において、第１呼の発番の上位一部の数字列と、それに対応する第２呼の発番に分けて記憶されている。
【００２９】
図４は、図１に示した環境における電話中継装置２００の動作を示すフローチャートである。まず要求送信装置１１０は、データ通信により、電話中継装置２００に対して、第１電話端末１００から第２電話端末３００に電話をかける旨を示す接続要求を送信する（ステップＳ２０）。この接続要求には、第１電話端末１００の電話番号及び第２電話端末３００の電話番号が含まれる。
【００３０】
電話中継装置２００の接続要求受信部２２０は、接続要求を受信する。そして電話中継装置２００の第１接続処理部２３０及び第２接続処理部２４０は、公表番号と実体番号の間の変換処理を行う。この処理の詳細は後述する（ステップＳ４０）。
【００３１】
そして第１接続処理部２３０は、構内交換機５０を介して第１電話端末１００に対して第１発呼を行い（ステップＳ６０）、第２接続処理部２４０は、構内交換機５０を介して第２電話端末３００に対して第２発呼を行う（ステップＳ８０）。第１発呼には、第２電話端末３００の公表番号が含まれており、第２発呼には、第１電話端末１００の公表番号が含まれている。第１電話端末１００は、第１発呼に含まれる第２電話端末３００の公表番号を、発信先の電話端末の電話番号として表示する（ステップＳ１００）。また第２電話端末３００は、第２発呼に含まれる第１電話端末１００の公表番号を、発信元の電話端末の電話番号として表示する（ステップＳ１２０）。
【００３２】
そして第１電話端末１００は、使用者が第１発呼に応答する旨の入力を行うと、電話中継装置２００の第１接続処理部２３０と電話接続を行う。電話中継装置２００は、第１発呼が接続されると、第２電話端末３００に第２発呼を行う。第２電話端末３００は、第２電話端末３００の使用者が第２発呼に応答する旨の入力を行うと、電話中継装置２００の第２接続処理部２４０と電話接続を行う。第１発呼と第２発呼の双方が接続すると、電話中継装置２００の第１接続処理部２３０及び第２接続処理部２４０は、相互に音声データを送受信する。これにより、第１電話端末１００と第２電話端末３００は通話を行うことができる（ステップＳ１４０）。
【００３３】
図５は、図４のステップＳ４０の詳細を示すフローチャートである。まず接続要求に含まれる着番、すなわち第２電話端末３００の電話番号が公表番号である場合（ステップＳ４０２：Ｙｅｓ）、第２接続処理部２４０は、この公表番号に対応する実体番号を電話番号記憶部２１０から読み出し、第２発呼の着番とする（ステップＳ４０４）。また第２電話端末３００の電話番号が実体番号である場合（ステップＳ４０２：Ｎｏ）、第１接続処理部２３０は、この実体番号に対応する公表番号を電話番号記憶部２１０から読み出し、第１発呼に含ませる（ステップＳ４０６）。
【００３４】
また接続要求に含まれる発番、すなわち第１電話端末１００の電話番号が公表番号である場合（ステップＳ４０８：Ｙｅｓ）、第１接続処理部２３０は、この公表番号に対応する実体番号を電話番号記憶部２１０から読み出し、第１発呼の着番とする（ステップＳ４１０）。また第１電話端末１００の電話番号が実体番号である場合（ステップＳ４０８：Ｎｏ）、第２接続処理部２４０は、この実体番号に対応する公表番号を電話番号記憶部２１０から読み出し、第２発呼の発番とする（ステップＳ４１２）。
【００３５】
ここで、図４に示した処理の優位性を、図１２を用いて説明する。図１２は、通常の電話中継装置２０１に電話番号記憶部２１０及び電話番号の変換機能を実装したときの動作を示している。通常の電話中継装置２０１は、接続要求に含まれる第２電話端末３００の電話番号を、そのまま第２発呼の発番として用いる。このため、図１２において、電話中継装置２０１に接続要求を受信すると、まず第１電話端末１００の電話番号の変換処理を行う（ステップＳ４２）。そして構内交換機５０に対して第２発呼を行う（ステップＳ８２）が、第２発呼における着番は第２電話端末３００の電話番号であるため、第２発呼は構内交換機５０でそのまま電話中継装置２０１に折り返される（ステップＳ８４）。そして、電話中継装置２０１は、第２発呼に含まれる第２電話端末３００の公表番号を実体番号に変換し、構内交換機５０を介して再び第２発呼を行う（ステップＳ８８）。
【００３６】
このように、第２発呼において、ステップＳ８２，８４に示すように、構内交換機５０と電話中継装置２０１の間で呼の往復が生じる。
【００３７】
次に、本実施形態の作用及び効果について説明する。本実施形態によれば、第１電話端末１００及び第２電話端末３００は、通常は、何れも電話中継装置２００を介して構内交換機５０に接続することにより、通話先の電話端末に接続する。電話中継装置２００は、接続要求が第１電話端末１００から第２電話端末３００への発呼を示しており、かつ接続要求に含まれる第２電話端末３００の電話番号が公表番号であったとき、第２電話端末３００の公表番号を実体番号に変換した上で、第２発呼を行う。第２発呼の着番は、第２電話端末３００の実体番号である。このため、図１２に示した例と異なり、第２発呼において、構内交換機５０と電話中継装置２００の間の呼の往復が生じることがない。
【００３８】
また、電話番号記憶部２１０は、電話端末別に公表番号及び実体番号を記憶している。そして発信要求に含まれる第１電話端末１００の電話番号及び第２電話端末３００の電話番号が実体番号及び公表番号のいずれである場合においても、第１接続処理部２３０は、第１電話端末１００に第２電話端末３００の公表番号を表示させ、第２接続処理部２４０は、第２電話端末３００に第１電話端末１００の公表番号を表示させる。従って、第１電話端末１００の使用者は、何れの人に電話をかけたかを容易に確認することができる。また第２電話端末３００の使用者は、何れの人から電話がきたかを容易に確認することができる。
【００３９】
さらに第１電話端末１００の公表番号及び第２電話端末３００の公表番号が、いずれも通信網１０で使用される番号である場合、第１電話端末１００が第２電話端末３００と異なる通信網に属している場合であっても、第２電話端末３００の使用者に対して、第１電話端末１００の使用者が自分と同じ拠点に属しているように見せることができる。
【００４０】
図６は、第２の実施形態に係る電話中継装置２００の処理を示すフローチャートである。本実施形態に係る電話中継装置２００の機能構成は、第１の実施形態と同様であるため説明を省略する。
【００４１】
本実施形態に示す処理は、ステップＳ３０を有する点を除いて、第１の実施形態において図４に示した処理と同様である。
【００４２】
電話中継装置２００の第２接続処理部２４０は、ステップＳ２０で受信した接続要求に着番として含まれる電話番号が電話番号記憶部２１０に公表番号及び実体番号の何れとしても含まれていない場合（ステップＳ３０：Ｎｏ）、第１電話端末１００の電話番号を発番としていて第２電話端末３００の電話番号を着番としている第３発呼を構内交換機５０に行う（ステップＳ３２）。
【００４３】
またステップＳ２０で受信した接続要求に着番として含まれる電話番号が電話番号記憶部２１０に公表番号及び実体番号の何れかとして含まれている場合（ステップＳ３０：Ｙｅｓ）、電話中継装置２００は、ステップＳ４０以降の処理を行う。
【００４４】
本実施形態によっても、第１の実施形態と同様の効果を得ることができる。また、第１電話端末１００が外部の電話端末に発信を行った場合でも、その電話端末と通話を行うことができる。
【００４５】
図７は、第３の実施形態に係る電話中継装置２００の電話番号記憶部２１０のデータ構成をテーブル形式で示す図である。本図に示す例において、電話番号記憶部２１０は、図７（ｂ）に示すように、第１発呼において発番として用いられるべき実体番号と、第２発呼において着番として用いられるべき実体番号とを、それぞれ記憶している。具体的には、第１発呼において発番として用いられるべき実体番号の一部は、地区番号が省略されている。そして電話番号記憶部２１０は、図７（ａ）に示すように、省略されうる地区番号を記憶している。
【００４６】
なお、電話中継装置２００の他の機能構成及び使用環境は第２の実施形態と同様である。また本実施形態に係る電話中継装置２００を用いた中継処理は、図６のステップＳ３０の詳細を除いて、第２の実施形態と同様である。
【００４７】
図８は、本実施形態におけるステップＳ３０の詳細を示すフローチャートである。まず第１発呼の発番が電話番号記憶部２１０に記憶されている場合（ステップＳ３０２：Ｙｅｓ）、電話中継装置２００は、図６のステップＳ４０以降の処理を行う。
【００４８】
また第１発呼の発番が電話番号記憶部２１０に記憶されていない場合（ステップＳ３０２：Ｎｏ）、第１接続処理部２３０又は第２接続処理部２４０は、省略されうる地区番号として電話番号記憶部２１０に記憶されている番号を読み出す。そして第１接続処理部２３０又は第２接続処理部２４０は、読み出した番号を、第１発呼の発番の先頭に付加する。そして付加後の番号が電話番号記憶部２１０に記憶されている場合（ステップＳ３０４：Ｙｅｓ）、電話中継装置２００は、図６のステップＳ４０以降の処理を行う。また付加後の番号も電話番号記憶部２１０に記憶されていない場合（ステップＳ３０４：Ｎｏ）、第１電話端末１００の電話番号を発番としていて第２電話端末３００の電話番号を着番としている第３発呼を構内交換機５０に行う（ステップＳ３２）。
【００４９】
本実施形態によっても、第２の実施形態と同様の効果を得ることができる。
【００５０】
図９は、第４の実施形態に係る電話中継装置２００の使用環境を示す図であり、第１の実施形態における図１に相当している。本図において電話中継装置２００は、接続要求を、要求送信装置１１０ではなく第１電話端末１００からデータ通信網を介して受信する点を除いて、第１〜第３の実施形態のいずれかと同様である。なお、電話通信網とデータ通信網は物理的に異なる通信網である必要はなく、論理的に異なる通信網であっても良い。
【００５１】
本実施形態によっても、第１〜第３の実施形態のいずれかと同様の効果を得ることができる。
【００５２】
図１０は、第５の実施形態に係る電話中継装置２００の使用環境を示す図であり、第１の実施形態における図１に相当している。本図は、通信網１０が内線通信網であり、構内交換機５０が公衆通信網に接続している点を除いて、第１〜第３の実施形態のいずれかと同様である。
【００５３】
図１１は、本実施形態における電話番号記憶部２１０のデータ構成をテーブル形式で示す図である。本実施形態においては、公表番号、第１の実体番号としての外線番号、及び第２の実体番号としての内線番号を、電話端末別に互いに対応付けて記憶している。
【００５４】
公表番号は、第１発呼及び第２発呼において第１電話端末１００及び第２電話端末３００に、相手の電話番号として表示させるとき（図４及び図６のステップＳ１００及びステップＳ１２０）に用いられる。すなわち本実施形態では、接続要求において外線番号及び内線番号の何れが用いられた場合であっても、第１電話端末１００及び第２電話端末３００には、相手の電話番号の外線番号及び内線番号の何れも表示されず、その代わりに公表番号が表示される。
【００５５】
本実施形態によっても、第１〜第３の実施形態のいずれかと同様の効果を得ることができる。また発信要求に含まれる着番が第２電話端末３００の外線番号であっても、電話中継装置２００は、公衆通信網を介さずに第１電話端末１００と第２電話端末３００を接続することができる。従って、公衆通信網のトラフィックを削減することができる。
【００５６】
以上、図面を参照して本発明の実施形態について述べたが、これらは本発明の例示であり、上記以外の様々な構成を採用することもできる。
【符号の説明】
【００５７】
１０ 通信網
５０ 構内交換機
１００ 第１電話端末
１０１ ゲートウェイ装置
１１０ 要求送信装置
２００，２０１ 電話中継装置
２１０ 電話番号記憶部
２２０ 接続要求受信部
２３０ 第１接続処理部
２４０ 第２接続処理部
３００ 第２電話端末３００
【図１】
2010272990.tif 000003
【図２】
2010272990.tif 000004
【図３】
2010272990.tif 000005
【図４】
2010272990.tif 000006
【図５】
2010272990.tif 000007
【図６】
2010272990.tif 000008
【図７】
2010272990.tif 000009
【図８】
2010272990.tif 000010
【図９】
2010272990.tif 000011
【図１０】
2010272990.tif 000012
【図１１】
2010272990.tif 000013
【図１２】
2010272990.tif 000014